(57)【要約】取り付け装置は、上面、側面、後面及び前面を有するブラケットと、後面及び前面を含み、後面はブラケットの後面に取り付け可能であり、前面は接着層を含む接着パッドと、カバー、フレーム又はバーがブラケットに取り外し可能に取り付け可能であり、物体を取り付けるための少なくとも１つの手段を含み、又は物体が一体的に取り付けられているカバー、フレーム又はバーとを備える。
2021510576.tif 000002
【特許請求の範囲】
【請求項１】
上面、側面、後面及び前面を有するブラケットと、
後面及び前面を備える接着パッドであって、前記後面は前記ブラケットの前記後面に取り付け可能であり、前記前面は接着層を備える接着パッドと、
前記ブラケットに取り外し可能に取り付け可能なカバー、フレーム又はバーであって、物体を取り付けるための少なくとも１つの手段を備え、又は一体的に取り付けられた物体を有するカバー、フレーム又はバーと
を備える、取り付け装置。
【請求項２】
前記ブラケットの前記後面は、周方向溝を備える、請求項１に記載の装置。
【請求項３】
前記ブラケットの前記後面は、所定の長さを有する周囲を含み、前記溝は、前記周囲の前記長さ全体に沿って延びる、請求項２に記載の装置。
【請求項４】
前記溝内又は前記溝上に接続されるシーリング要素をさらに備え、前記シーリング要素は、前記溝全体に係合し、好ましくは、前記接続は、オーバーモールディングによって行われる、請求項２又は３に記載の装置。
【請求項５】
前記ブラケットは、前記前面から前記後面まで少なくとも１つのピンを受け入れる少なくとも１つのピン開口をさらに備え、前記装置は、少なくとも１つのピンをさらに備える、請求項１に記載の装置。
【請求項６】
前記ブラケットの前記少なくとも１つのピン開口は、前記ブラケットの前記上面から離れて下向きの方向に、かつ前記ブラケットの前記上面に対して約０°〜４５°の範囲、より好ましくは約１０°〜３０°の範囲、最も好ましくは約１５°の角度で、前記少なくとも１つのピンを受け入れるように構成される、請求項５に記載の装置。
【請求項７】
２つ以上のピンを備え、前記ブラケットは、前記２つ以上のピンを受け入れるためのそれぞれ２つ以上のピン開口を備える、請求項５又は６に記載の装置。
【請求項８】
前記２つ以上のピンは、ブリッジによって接続可能である、請求項７に記載の装置。
【請求項９】
前記２つ以上のピン開口は、前記ブラケットの前記上面に平行に整列される、請求項７又は８に記載の装置。
【請求項１０】
２つのピクチャピンを備え、前記ブラケットは、前記２つのピクチャピンを受け入れるための２つのピン開口を備える、請求項７〜９のいずれか１項に記載の装置。
【請求項１１】
４つのピクチャピンを備え、前記ブラケットは、前記４つのピクチャピンを受け入れるための４つのピン開口を備える、請求項７〜９のいずれか１項に記載の装置。
【請求項１２】
前記ブラケットは、その前面に少なくとも１つのネジを受け入れるための少なくとも１つのネジ開口をさらに備える、請求項５〜１１のいずれか１項に記載の装置。
【請求項１３】
カバーを備える場合、前記カバーは前記ブラケットにスライド可能に取り付け可能である、請求項１〜１２のいずれか１項に記載の装置。
【請求項１４】
カバーを備える場合、前記カバーは、少なくとも１つの側壁を備える、請求項１〜１３のいずれか１項に記載の装置。
【請求項１５】
前記ブラケットは、前記側面のうちの少なくとも１つ、好ましくは前記側面のうちの２つにレールをさらに備える、請求項１４に記載の装置。
【請求項１６】
前記カバーの前記少なくとも１つの側壁又は各側壁は、内面を備え、少なくとも１つの前記内面は、前記ブラケットの前記レールを受け入れるための溝を備える、請求項１５に記載の装置。
【請求項１７】
前記カバーは、上面、右側壁、及び左側壁を備え、少なくとも前記右側壁及び前記左側壁はそれぞれ、前記ブラケットの前記レールを受け入れるための溝を備える、請求項１６に記載の装置。
【請求項１８】
前記レールは、左端及び右端を備え、前記カバーの前記左側壁は、前記左端を受け入れるための溝を備え、前記カバーの前記右側壁は、前記右端を受け入れるための溝を備える、請求項１７に記載の装置。
【請求項１９】
カバーを備える場合、前記カバーは、複数のブラケットに取り付け可能である、請求項１〜１３のいずれか１項に記載の装置。
【請求項２０】
カバーを備える場合、物体を取り付けるための前記少なくとも１つの手段は、ノッチ、開口、フック、又は磁気パッドのうちの１つ以上を含む、請求項１〜１９のいずれか１項に記載の装置。
【請求項２１】
カバーを備える場合、前記カバーは、物体を取り付けるための少なくとも１つのネジ穴を備え、選択的に、前記ネジ穴はブランクにされる、請求項１〜２０のいずれか１項に記載の装置。
【請求項２２】
カバーを備える場合、前記カバーは前面を備え、物体を取り付けるための前記少なくとも１つの手段はフックであり、前記フックは、前記カバーの前記前面から前記フックが突出しない第１の位置と、前記カバーの前記前面から前記フックが突出する第２の位置との間でスライド可能である、請求項１〜２１のいずれか１項に記載の装置。
【請求項２３】
前記フックは、前記物体の一部を受け入れるための物体開口を備える、請求項２２に記載の装置。
【請求項２４】
前記カバーの前記前面は、前記フックに隣接する指凹部を備える、請求項２２又は２３に記載の装置。
【請求項２５】
カバーを備える場合、前記カバーは、物体を取り付けるための少なくとも１つの手段を備え、前記カバーに取り外し可能に取り付け可能な物体をさらに備える、請求項１〜２４のいずれか１項に記載の装置。
【請求項２６】
前記物体は、フック、ＬＥＤライト、時計、レール、棚、ピクチャフレーム、トイレットペーパーホルダ、又は１つ以上のレーザビームを投射するためのギャラリーキットハウジングのうちの１つから選択される、請求項１〜２５のいずれか１項に記載の装置。
【請求項２７】
前記物体はギャラリーキットハウジングであり、前記ギャラリーキットハウジングは回転可能な部分を備える、請求項２６に記載の装置。
【請求項２８】
前記カバーに一体的に取り付けられたピクチャフレーム又は棚を備え、前記ピクチャフレーム又は棚は、複数のカバーに一体的に取り付けられる、請求項２６に記載の装置。
【請求項２９】
前記接着パッドは、前記接着パッドを取り外すための解放タグを備える、請求項１〜２８のいずれか１項に記載の装置。
【請求項３０】
使用時に、前記解放タグは、前記ブラケットの前記上面と前記カバーの上面との間に挟まれ、それによって見えない、請求項２９に記載の装置。
【請求項３１】
フレームを備える場合、前記フレームは、
前記ブラケットを受け入れるように構成される開口部、
前記開口部を取り囲む前面、
第１の後部レールを備える上面、及び
第２の後部レールを備える底面
を備え、前記第１の後部レールと前記前面との間に第１の溝が設けられ、前記第２の後部レールと前記前面との間に第２の溝が設けられる、請求項５〜１２のいずれか１項に記載の装置。
【請求項３２】
バーを備える場合、前記バーは、前記ブラケットを受け入れるように構成される少なくとも１つの開口部を備える、請求項５〜１２のいずれか１項に記載の装置。
【請求項３３】
複数のブラケットと、前記複数のブラケットを受け入れるための少なくとも対応する数の開口部とをさらに備える、請求項３２に記載の装置。
【請求項３４】
前記開口部は、前記バーの長さに沿って等間隔に配置される、請求項３３に記載の装置。
【請求項３５】
前記バーは、後面及び前面を備え、前記バーの前記後面は、１つ以上の長手方向フィンを備え、より好ましくは、前記１つ以上のフィンは、実質的に前記バーの長さ全体に沿って延びる、請求項３２〜３４のいずれか１項に記載の装置。
【請求項３６】
前記バーは、上面及び底面を備え、前記上面及び底面の各々は、バーレールを有し、前記上面の前記バーレールは、第１の長手方向溝を画定し、前記底面の前記バーレールは、第２の長手方向溝を画定する、請求項３２〜３５のいずれか１項に記載の装置。
【請求項３７】
前記バーレールの前記長手方向溝は、実質的に前記バーの長さ全体に沿って延びる、請求項３６に記載の装置。
【請求項３８】
少なくとも１つのカバーをさらに備え、各カバーが物体を取り付けるための少なくとも１つの手段を備え、又は一体的に取り付けられる物体を有し、各カバーが前記フレーム又は前記バーに取り付け可能である、請求項３１又は３６〜３７のいずれか１項に記載の装置。
【請求項３９】
各カバーが上面及び底面を備え、前記上面は、前記フレーム又はバーの第１の溝に取り付けるための第１のフランジを備え、前記底面は、前記フレーム又はバーの第２の溝に取り付けるための第２のフランジを備える、請求項３８に記載の装置。
【請求項４０】
前記バーは、カバーを位置決めするための少なくとも１つのスロットをさらに備える、請求項３２〜３９のいずれか１項に記載の装置。
【請求項４１】
前記カバーは、前記カバーと前記ブラケット、フレーム又はバーとの間のスナップ嵌め、締まり嵌め又は摩擦嵌めによって、前記ブラケット、フレーム又はバーに取り外し可能に取り付け可能である、請求項１〜３０又は３８〜４０のいずれか１項に記載の装置。
【請求項４２】
前記カバーと前記ブラケット、フレーム又はバーとの間のスナップ嵌めを解除するように構成される解除キーをさらに備える、請求項４１に記載の装置。
【請求項４３】
使用時に、タオルレール、カーテン又はカーテンレール、ツールラック又は自転車ラックが前記バーに取り付け可能である、請求項３２〜４２のいずれか１項に記載の装置。
【請求項４４】
レバーをさらに備え、前記レバーは、ベースに回動可能に取り付けられるレバーアームを備える、請求項３１及び３６のいずれか１項に記載の装置。
【請求項４５】
前記レバーの前記ベースは、底縁を備え、前記底縁は、前記フレームの前記溝の１つ又は前記バーの前記溝の１つによって受け入れられるように構成され、好ましくは、前記ベースは、前記レバーを前記フレームの前記溝又は前記バーの溝に保持するためのリップを備える、請求項４４に記載の装置。
【請求項４６】
前記レバーアームは、前記レバーが前記フレーム又はバーに取り付けられ、かつ前記フレーム又はバーが前記ブラケットに取り付けられたときに、前記ブラケットの前記ピン開口又は各ピン開口と整列するように配置される１つ以上の突起を備える、請求項４５に記載の装置。
【請求項４７】
前記レバーは、開位置と閉位置との間で移動可能であり、前記レバーが前記バーのバーレール又はフレームのレールに取り付けられたときに、前記１つ以上の突起は、前記１つ以上のピンに作用し得る、請求項４６に記載の装置。
【請求項４８】
アルコール水準器ユニットをさらに備える、請求項１〜４７のいずれか１項に記載の装置。
【請求項４９】
前記アルコール水準器ユニットは取り外し可能であり、アルコール水準器バイアル及び選択的にアルコール水準器ホルダを備える、請求項４８に記載の装置。
【請求項５０】
前記ブラケットは、前記アルコール水準器ユニットを取り付けるための手段を備える、請求項４９に記載の装置。
【請求項５１】
前記アルコール水準器ユニットは、指引きタブ又はハンドルを備える、請求項４９又は５０に記載の装置。
【請求項５２】
前記アルコール水準器ユニットは、前記ブラケットの前記前面と一体である、請求項４８記載の装置。
【請求項５３】
請求項１〜５２のいずれか１項に記載の装置と、
取り付けられる物体、
取り付けられる物体を取り付けるための１つ以上の取り付けネジ、
ブラケット、フレーム又はバーからカバーを解放するための解除キー、
前記ブラケットを取り付け面にねじ留めするための少なくとも１つのネジ、
取り外し可能なアルコール水準器ユニット、
少なくとも１つのピン又は複数のピン、
１つ以上のカバー、
１つ以上のブラケット、
フレーム、
バー、
レバー、及び
テンプレートインストーラ
の１つ以上と
を備える、キット。
【発明の詳細な説明】
【技術分野】
【０００１】
本発明は、取り付け手段、特に、物品を垂直面に取り付けるための手段に関する。特に、本発明は、改良された取り付け装置に関する。
【背景技術】
【０００２】
当技術分野では、例えば、壁、ドア、フェンス、窓等の垂直面（又は垂直に近い面）に物品を取り付けるための手段が利用可能である。一例は、当技術分野で知られているように、フックを壁に取り付けるためにフック要素の１つ以上の穴を通過する少なくとも１つのピクチャピンを備えた金属フック要素を含むピクチャフックである。本明細書では、「ピクチャピン」への言及は、任意の比較的狭い直径の釘、又は、例えば、ピクチャフックアセンブリに関連して当技術分野で知られているピンを意味する。使用時には、従来技術のピクチャフックが壁に打ち込まれ、ピクチャフレーム上の対応するフック、紐又はワイヤを使用してピクチャがピクチャフックから吊り下げられる。ピクチャフックは、フック要素自体を１つのピンと共に含んでいるか、又は安定性を高めるために複数のピンを含む場合もある。
【０００３】
従来技術のピクチャフックは、ピクチャ（さらに絵画及び写真）が通常は壁の所定の位置に取り付けられ、かつ移動されないことが多いため、壁にピクチャを取り付けるのに適している。さらに、ピンを垂直面から簡単に引き出すことができるため、ピクチャフックアセンブリは壁から簡単に取り外すことができる。特に、垂直面が石膏のコーティングを有する壁である場合、ピクチャピンは石膏を貫通するだけであるので、容易に取り外される。
【０００４】
しかしながら、当技術分野で知られているピンを備えたピクチャフックは、時々移動する可能性のある物体の取り付けには適していない。例えば、ピクチャフックは、コートを掛けるために使用することができない。なぜなら、（コートを外してフックに取り替えるときの）毎日のコートの動きがピクチャフックアセンブリの動きを生じさせ、ピクチャピンが取り付け面からすぐに外れて、ピクチャフックが不安定になるか、又は表面から脱落するからである。したがって、移動され得る物品を取り付けるための他の装置が当該技術分野で知られている。
【０００５】
例えば、プラスチックから製造されたフックであって、接着パッド（及びフックアセンブリが必要になるまで接着面を覆う剥離ライナ）を有するフックを提供することが当該技術分野で知られている。使用時には、剥離ライナを接着パッドから取り外し、フックを取り付け面に押し付ける。フックと表面との間の接着結合は、かなり軽い物体を保持し、フックが容易に壁に対して緩まないことを確実にするのに十分であるが、接着パッドが（例えば、汚れた、又は塗装された表面に）不適切に取り付けられている場合、又は重量が過重になっている場合、フック全体が壁から脱落する可能性がある。しかしながら、より大きな重量を保持する目的で、より強力な接着剤を使用すると、フックを取り外す際に取り付け面が破損する。
【０００６】
さらに、（選択的にＲａｗｌｐｌｕｇ等の固定アンカ付きの）通常のネジを用いてフックを表面に取り付けることが知られている。しかし、これの欠点は、接続が強力であっても、接続によって壁に永久的な損傷が生じることである。したがって、アタッチメントが取り外された場合、取り付け面は、例えば石膏の充填等の実質的な修理を必要とすることがある。また、このようなシステムで木製のドアにフックを取り付けると、木製のドアの建材に取り返しのつかない損傷を与えることになる。本発明とは異なり、ネジの使用にはツールも必要である。
【発明の概要】
【０００７】
本発明は、ピン配置を備えた新規かつ発明的な接着パッドを使用して、そのような従来技術のシステムに対する改良を包含する。本発明の発明者らは、驚くべきことに、ピン配置を備えた接着パッドが有利であり、それによって１つ以上のピンが取り付けられる物体の重量を支え、接着パッドが取り付け面に対して１つ以上のピンの移動（すなわち、上記で概説した課題）を防ぐことを発見した。ピンが移動するという課題の緩和は、ピンシステムを使用して、移動し得る物体を確実に取り付けることができることを意味する。本発明者らは、（下記の接着パッド付きの２ピンシステムに基づく）以下に示すシステムがフック当たり重量２０ｋｇまで支えることができると考えている。
【０００８】
さらに、本発明の装置は、従来技術で知られているシステムとは異なり、モジュール式である。言い換えれば、本発明の構成は、単純なフックに限定されるのではなく、多くの異なる形態のアタッチメントを取り付けることができる取り外し可能なカバーシステムを提供する。
【０００９】
本発明に係る取り付け装置は、上面、側面、後面及び前面を有するブラケットと、後面及び前面を含む接着パッドであって、後面はブラケットの後面に取り付け可能であり、前面は接着層を含む接着パッドと、ブラケットに取り外し可能に取り付け可能なカバー、フレーム又はバーであって、物体を取り付けるための少なくとも１つの手段を含み、又は一体的に取り付けられた物体を有するカバー、フレーム又はバーとを備える。
【００１０】
好ましくは、ブラケットの後面は、周方向溝を含む。
【００１１】
有利には、ブラケットの後面は、所定の長さを有する周囲を含み、溝は、周囲の長さ全体に沿って延びる。
【００１２】
便宜的に、溝内又は溝上に接続されたシーリング要素をさらに備え、シーリング要素は、溝全体に係合し、好ましくは、接続は、オーバーモールディングによって行われる。
【００１３】
好ましくは、ブラケットは、前面から後面まで少なくとも１つのピンを受け入れる少なくとも１つのピン開口をさらに備え、装置は、少なくとも１つのピンをさらに備える。
【００１４】
好ましくは、ブラケットの少なくとも１つのピン開口は、ブラケットの上面から離れて下向きの方向に、かつブラケットの上面に対して約０°〜４５°の範囲、より好ましくは約１０°〜３０°の範囲、最も好ましくは約１５°の角度で、少なくとも１つのピンを受け入れるように構成される。
【００１５】
便宜的に、装置は、２つ以上のピンを備え、ブラケットは、２つ以上のピンを受け入れるためのそれぞれ２つ以上のピン開口を備える。
【００１６】
好ましくは、２つ以上のピンはブリッジによって接続可能である。
【００１７】
有利には、２つ以上のピン開口は、ブラケットの上面に平行に整列される。
【００１８】
便宜的に、装置は、２つのピクチャピンを備え、ブラケットは、２つのピクチャピンを受け入れるための２つのピン開口を備える。
【００１９】
有利には、装置は３つのピクチャピンを含み、ブラケットは３つのピクチャピンを受け入れるための３つのピン開口を備える。
【００２０】
好ましくは、装置は４つのピクチャピンを含み、ブラケットは、４つのピクチャピンを受け入れるための４つのピン開口を備える。
【００２１】
有利には、ブラケットは、その前面に少なくとも１つのネジを受け入れるための少なくとも１つのネジ開口をさらに備える。
【００２２】
便宜的に、装置がカバーを備える場合、カバーはブラケットにスライド可能に取り付け可能である。
【００２３】
好ましくは、装置がカバーを備える場合、カバーは少なくとも１つの側壁を備える。
【００２４】
有利には、ブラケットは、側面のうちの少なくとも１つ、好ましくは側面のうちの２つにレールをさらに備える。
【００２５】
便宜的に、カバーの少なくとも１つの側壁又は各側壁は内面を備え、少なくとも１つの内面はブラケットのレールを受け入れるための溝を備える。
【００２６】
好ましくは、カバーは、上面、右側壁及び左側壁を備え、少なくとも右側壁及び左側壁は、それぞれ、ブラケットのレールを受け入れるための溝を備える。
【００２７】
有利には、レールは、左端と右端とを備え、カバーの左側壁は、左端を受け入れる溝を備え、カバーの右側壁は、右端を受け入れる溝を備える。
【００２８】
好ましくは、装置がカバーを備える場合、カバーは複数のブラケットに取り付け可能である。
【００２９】
便宜的に、装置がカバーを備える場合、物体を取り付けるための少なくとも１つの手段は、ノッチ、開口、フック又は磁気パッドのうちの１つ以上を備える。
【００３０】
好ましくは、装置がカバーを備える場合、カバーは物体を取り付けるための少なくとも１つのネジ穴を含み、選択的に、ネジ穴はブランクにされる。
【００３１】
有利には、装置がカバーを備える場合、カバーは前面を備え、物体を取り付けるための少なくとも１つの手段はフックであり、フックは、カバーの前面からフックが突出しない第１の位置と、カバーの前面からフックが突出する第２の位置との間でスライド可能である。
【００３２】
便宜的に、フックは、物体の一部を受け入れるための物体開口を備える。
【００３３】
好ましくは、カバーの前面は、フックに隣接する指凹部を備える。
【００３４】
有利には、装置がカバーを備える場合、カバーは物体を取り付けるための少なくとも１つの手段を備え、装置はカバーに取り外し可能に取り付け可能な物体をさらに備える。
【００３５】
便宜的に、物体は、フック、ＬＥＤライト、時計、レール、棚、ピクチャフレーム、トイレットペーパーホルダ、又は１つ以上のレーザビームを投射するためのギャラリーキットハウジングのうちの１つから選択される。
【００３６】
好ましくは、物体はギャラリーキットハウジングであり、ギャラリーキットハウジングは回転可能な部分を備える。
【００３７】
便宜的に、装置は、カバーに一体的に取り付けられたピクチャフレーム又は棚を備え、ピクチャフレーム又は棚は、複数のカバーに一体的に取り付けられている。
【００３８】
有利には、接着パッドは、接着パッドを取り外すための解放タグを含む。
【００３９】
便宜的に、使用時には、解放タグは、ブラケットの上面とカバーの上面との間に挟まれ、それによって見えない。
【００４０】
好ましくは、装置がフレームを含む場合、フレームは、ブラケットを受け入れるように構成される開口部、開口部を取り囲む前面、第１の後部レールを備える上面、及び第２の後部レールを備える底面を備え、第１の後部レールと前面との間に第１の溝が設けられ、第２の後部レールと前面との間に第２の溝が設けられる。
【００４１】
好ましくは、装置がバーを備える場合、バーはブラケットを受け入れるように構成された少なくとも１つの開口を備える。
【００４２】
便宜的に、装置は、複数のブラケットをさらに備え、バーは、複数のブラケットを受け入れるための少なくとも対応する数の開口を備える。
【００４３】
好ましくは、開口はバーの長さに沿って等間隔に配置される。
【００４４】
有利には、前記バーは、後面及び前面を備え、バーの後面は、１つ以上の長手方向フィンを備え、より好ましくは、１つ以上のフィンは、バーの実質的に全長に沿って延びる。
【００４５】
便宜的に、バーは、上面及び底面を備え、上面及び底面の各々は、バーレールを有し、上面のバーレールは、第１の長手方向溝を画定し、底面のバーレールは、第２の長手方向溝を画定する。
【００４６】
好ましくは、バーレールの長手方向溝は、バーの実質的に全長に沿って延びる。
【００４７】
有利には、装置は、少なくとも１つのカバーをさらに備え、各カバーが物体を取り付けるための少なくとも１つの手段を備え、又は一体的に取り付けられる物体を有し、各カバーがフレーム又はバーに取り付け可能である。
【００４８】
便宜的に、各フレーム又はバーカバーは上面及び底面を含み、上面はフレーム又はバーの第１の溝に取り付けるための第１のフランジを備え、底面はフレーム又はバーの第２の溝に取り付けるための第２のフランジを備える。
【００４９】
好ましくは、バーは、カバーを位置決めするための少なくとも１つのスロットをさらに備える。
【００５０】
有利には、カバーは、カバーとブラケット、フレーム又はバーとの間のスナップ嵌め、締まり嵌め、又は摩擦嵌めによって、ブラケット、フレーム又はバーに取り外し可能に取り付け可能である。
【００５１】
便宜的に、装置は、カバーとブラケット、フレーム又はバーとの間のスナップ嵌めを解除するように構成された解除キーをさらに備える。
【００５２】
好ましくは、使用時に、タオルレール、カーテン又はカーテンレール、ツールラック又は自転車ラックがバーに取り付け可能である。
【００５３】
有利には、装置は、レバーをさらに備え、レバーは、ベースに回動可能に取り付けられたレバーアームを備える。
【００５４】
便宜的に、レバーのベースは、底縁を備え、底縁は、フレームの溝の１つ又はバーの溝の１つによって受け入れられるように構成され、好ましくは、ベースは、レバーをフレームの溝又はバーの溝に保持するためのリップを備える。
【００５５】
好ましくは、レバーアームは、レバーがフレーム又はバーに取り付けられ、フレーム又はバーがブラケットに取り付けられたときに、ブラケットのピン開口又は各ピン開口と整列するように配置された１つ以上の突起を備える。
【００５６】
有利には、レバーは、開位置と閉位置との間で移動可能であり、レバーがバーのバーレール又はフレームのレールに取り付けられたときに、１つ以上の突起は、１つ以上のピンに作用し得る。
【００５７】
便宜的に、装置は、アルコール水準器ユニットをさらに備える。
【００５８】
好ましくは、アルコール水準器ユニットは取り外し可能であり、アルコール水準器バイアル及び選択的にアルコール水準器ホルダを含む。
【００５９】
有利には、ブラケットは、アルコール水準器ユニットを取り付けるための手段を備える。
【００６０】
便宜的に、アルコール水準器ユニットは、指引きタブ又はハンドルを含む。
【００６１】
好ましくは、アルコール水準器ユニットは、ブラケットの前面と一体である。
【００６２】
本発明によれば、取り付け装置と、取り付けられる物体、取り付けられる物体を取り付けるための１つ以上の取り付けネジ、ブラケット、フレーム又はバーからカバーを解放するための解除キー、ブラケットを取り付け面にねじ留めするための少なくとも１つのネジ、取り外し可能なアルコール水準器ユニット、少なくとも１つのピン又は複数のピン、１つ以上のカバー、１つ以上のブラケット、フレーム、バー、レバー、及びテンプレートインストーラの１つ以上とを備えるキットも提供される。
【図面の簡単な説明】
【００６３】
【図１】本発明による装置の正面からの斜視分解図である。
【図２】本発明による装置の背面からの斜視分解図である。
【図３】表面に取り付けられたときの本発明による装置の複数の図を示す。
【図４】請求項に係る発明のブラケット及び関連する構成要素の分解斜視図を示す。
【図５】本発明のブラケットからのカバーの取り外しを示す斜視図及び分解図である。
【図６】図６Ａ及び６Ｂは、本発明による装置のさらなる斜視図及び分解図である。
【図７】フックアタッチメントと共に本発明による装置を示す。
【図８】本発明に関連して使用される接着パッドを示す。
【図９】本発明による別の装置の正面からの斜視分解図である。
【図１０】請求項９に記載の装置の反対側からの斜視図である。
【図１１】図１１Ａ及び１１Ｂは、本発明の一部であるブラケットの前方及び後方からの斜視図である。
【図１２】図９及び１０の装置を示す斜視図である。
【図１３】代替構成における図１２の装置を示す斜視図である。
【図１４】本発明による装置の斜視図である。
【図１５】図１２と同等の斜視図であるが、反対側から見たものである。
【図１６】本発明で使用するキットの平面図である。
【図１７】本発明で使用するための一体型フックの正面、背面及び嵌合構成の斜視図である。
【図１８】図１８Ａ及び１８Ｂは、正面及び背面構成において本発明と共に使用するための代替的な一体型フックの斜視図を示す。
【図１９】本発明によるブラケット及び一体型アルコール水準器の斜視図である。
【図２０】図２０Ａ〜２０Ｄは、正面及び側面構成において本発明と共に使用するための一体型フックを有する代替カバーの斜視図を示す。
【図２１】本発明によるブラケットの斜視図を示す。
【図２２】本発明によるブラケットの斜視図を示す。
【図２３】図２３Ａ及び２３Ｂは、本発明による装置の断面図を示す。
【図２４】図２４Ａ及び２４Ｂは、本発明で使用するためのバーの正面及び背面構成の平面図を示す。
【図２５】図２５Ａ及び２５Ｂは、本発明に関連して使用されるレバーの上面及び底面構成の斜視図を示す。
【図２６】図２６Ａ及び２６Ｂは、本発明によるブラケットの取り付けの斜視図を示す。
【図２７】図２７Ａ及び２７Ｂは、本発明による装置の斜視図を示す。
【図２８】本発明によるカバーの背面の平面図を示す。
【図２９】本発明によるブラケットの斜視図を示す。
【図３０】図３０Ａ及び３０Ｂは、本発明によるフレームの斜視図及び平面図を示す。
【図３１】本発明によるレバー及びフレームの斜視図である。
【図３２】図３２Ａ及び３２Ｂは、本発明による装置の斜視図を示す。
【図３３】図３３Ａ及び３３Ｂは、本発明に関連して使用されるテンプレートインストーラを示す。
【図３４】図３４Ａ及び３４Ｂは、本発明によるカバーの正面及び背面構成における斜視図を示す。
【図３５】図３５Ａ及び３５Ｂは、本発明に関連して使用される棚の斜視図を示す。
【図３６】図３６Ａ及び３６Ｂは、本発明に関連して使用されるピクチャフレームの斜視図を示す。
【発明を実施するための形態】
【００６４】
図１は、本発明による装置１を概略的に示す。装置１は、壁（煉瓦とコンクリートを含む材料でできており、選択的に石膏で覆われている）、フェンス又はドア等の略垂直な面に取り付けられるブラケット２を含む。図示されるように、ブラケット２には、水平方向に離間した２つの穴が設けられている。これらは、ピン５がブラケットの前面から後面を通って取り付け面に入ることができるように寸法が決められ構成されている。本出願の図面の大部分は２つのピンを示しているが、本発明の装置は１つ又は２つを超えるピンを含むことができることを理解されたい。例えば、装置は４つのピンを含んでもよく、ブラケット２は４つのピンを受け入れるための４つの穴を含んでもよく、各穴は長方形の角に位置する。発明者らは、２つのピン５の使用が家庭用の十分な取り付け強度をもたらすことを見出した。
【００６５】
図示されるように、２つのピン５自体が、ブリッジ６に取り付けられている。ブリッジ６は、固定された水平距離でピン５を離間させて、ブラケットのピン穴１６の間隔に一致させる役割を果たす。ピン５はブリッジ６と共に３つの別個の物品である必要はなく、単一の構成要素、すなわち２つの離間したピンを有する単一の「ピンヘッド」であってもよいことを理解されたい。代替的に、ブリッジ６は、２つのピン５の取り付けを可能にする２つの穴を貫通する別個の構成要素であってもよい。他の態様では、ピン５及びブリッジ６は、クロスバーに接続された２本の脚部（ピン）を有する単一部品等の代替構成とし得る。
【００６６】
本発明者らは、ブリッジ６がブラケット２に重量を分散させ、それによって装置が保持できる重量を増加させることを見出した。すなわち、装置１の重量支持能力を向上させる観点から、上述したようにピン５同士を何らかの形で連結するブリッジ６を設けることにより、重量支持能力を向上させることができる。
【００６７】
使用時には、ピン５をブラケット２のピン穴１６に挿通して、ブラケット２を表面に取り付ける。有利な態様では、ピン５は、ブラケット２を介して（使用時に）下方に向けられている。本発明者らは、ピン５の最も有利な向きは下向きに約１５度、すなわち水平より下に１５度であるが、１０〜３０度の範囲の任意の角度が良好な結果をもたらすことを発見した。０度（水平）等の小さい角度も、４５度までの角度と同様に機能する。しかしながら、４５度では、ピン５の頭部は、取り付け角度のためにブラケット２内により多くの空間を占め、また、ピン５は、取り付け面を貫通するために、より小さい角度に比べてより長い必要がある。
【００６８】
また、ブラケット２には、ネジ穴１７が設けられており、任意にネジ７を取り付けることができる。ネジ７は、ブラケットの前部から後部までネジ穴１７を通過し、当技術分野で知られているやり方で取り付け面にねじ込まれてもよい。しかしながら、例外的に重量のある物品を取り付ける必要があり、ユーザが取り付け面を損傷するネジ穴を気にしない場合には、ネジ７は任意である。
【００６９】
さらに、装置はカバー３を備える。後述するように、カバー３は、前面と、上面と、２つの側面とを有している。使用時には、カバー３をブラケット２上に下方にスライドさせ、スナップ、プレス、摩擦又は他の締まり嵌めを介して（そのいくつかは以下に説明される様々な方法で）取り外し可能にクリップ止めし、それによってピン５、及び、使用される場合、ネジ７の頭部を含むブラケット２の内部の仕組みを覆う。これにより、頭部等が見えなくなり、より審美的に優れた配置がもたらされる。
【００７０】
カバー３には、図示されるように単一の取り付けネジ穴１８が設けられている。使用時には、図１から明らかなように、フックアタッチメント８等のアタッチメントが、取り付けネジ９を用いてカバーに取り付けられる。以下にさらに説明するように、本発明の構成は、広範囲の異なるアタッチメントの取り付けを可能にする。さらに、図示のカバー３にはネジ穴１８が設けられているが、ネジ穴が設けられている必要はない。カバーには、成形プロセス中にプラスチックの薄層で覆われたネジ穴１８である  「ブランク」  が設けられてもよく、これは、ユーザがネジ９を挿入することによって貫通させられてもよい。代替的に、カバー３は、キー、ナイフ等を取り付けるための磁石をその前面又はその中に含むことができる。
【００７１】
さらに、ここでは、カバー３が平坦であり別個のフック８を有するものとして示されているが、カバー３は、単一構造としてフックを取り付け又は組み込むことができる。例えば、カバーとフックは単一の一体成形品とすることができる。図示されているように、カバーは、２０〜５０ｍｍ平方の寸法を有する正方形であってもよい。好ましくは、カバーは、３５ｍｍ×３５ｍｍの寸法及び８〜１０ｍｍの深さを有してもよい。
【００７２】
次に図２を参照すると、図１の装置が後方から見て示されている。さらにネジ穴１８に関して、図１に示されるように（垂直方向に）中央のネジ穴１８は開いているが、上下のネジ穴１８は上述のように「ブランク」であることが分かる。また、図２から分かるように、フックアタッチメント８が取り付けネジ９を用いてカバー３にねじ込まれている。
【００７３】
図１及び２は、選択的な円筒形バイアル１１を、アルコール水準器クリップ１２と共にさらに示しており、このクリップは、アルコール水準器クリップハンドル１５と、アルコール水準器クリップ１２をブラケット２に取り付けるためのアルコール水準器クリップ溝１３とを含む。これについては以下でさらに説明する。
【００７４】
また、図１及び２には、後述するように、カバー３をブラケット２から解除するための選択的な解除キー１０も示されている。
【００７５】
図３Ａを参照すると、取り付け位置における本発明の装置の断面が示されている。図３Ａから分かるように、装置は、ブラケット２の後面の一部又は実質的に全てを覆い得る接着パッド４をさらに含む。接着パッド４は取り付け面に接触する。当技術分野で知られているように、接着パッドは、基材と、感圧接着剤（ＰＳＡ）等の接着層とを含む。さらに、当技術分野で既知のように、接着パッド４は、接着層の粘性表面を露出させるために、接着層から容易に剥離される別の材料シートである剥離ライナによって覆われてもよい。
【００７６】
したがって、装置は、装置１を表面に取り付ける前に取り外す必要がある剥離ライナと共に、既に所定の位置にある接着パッド４を含んでユーザに販売されてもよい。接着パッド４は、ブラケット２の後面にそれ自体のさらなる接着剤によって取り付けられてもよい。好ましくは、接着パッドは、ブラケット２の後面に貼着するための粘着剤の第１の側と、取り付け面に貼着するための粘着剤の第２の側とを有する両面接着パッドである。接着パッド４は、粘着テープ、すなわち、両面に粘着剤が設けられた比較的薄い基材、又は両面に粘着剤が設けられた比較的厚い層であってもよい。
【００７７】
本発明の装置は、接着パッド４が既に所定の位置にある状態で消費者に販売してもよく、又は接着パッド４を、ユーザがブラケット２に取り付けるためのキットに設けてもよい。また、接着パッド４にピン穴１６及び／又はネジ穴１７に対応する穴を予め穿設してもよく、又は接着パッドは一枚の連続シートとしてもよい。
【００７８】
本発明の装置１は、代替的に、１つ以上のピン５を備えていなくてもよいことを理解されたい。その代わり、装置は、接着パッド４のみで取り付け面に取り付け可能である。接着パッドのみを有する本発明の装置は、付加的な１つ以上のピン５を有する対応する装置１よりも少ない重量を支えることができると予測される。それにもかかわらず、新規なブラケットとカバーの配置は、移動可能な軽い物体を支えるのに有用である。
【００７９】
さらに図３Ａに関して、３つのネジ穴１８が、（皿ネジの頭部がカバー３の材料の中に収まっているため）カバーがベース２上で適切に閉じることができるように、装置の内側から皿穴にされていることが示されている。また、上述したように、ピン５が水平から下方に角度が付けられていることが示されている。さらに、ピン５の頭部が、当接部１４によってピンの下方角度を達成するためにどのように支持されるかが示されている。
【００８０】
図３Ｂは、図３Ａの装置の側面図であり、カバー３及び接着パッド４をより明確に示す。図３Ｃは、カバー３の前面を示しており、使用のために３つの全てのネジ穴１８が開けられている。
【００８１】
図４に装置の一部の動作を示す。図４Ａは、装置を取り付け面にねじ留めするために使用される選択的なネジ７を備えた装置を示す。図４Ｂは、ブリッジ６を有するピン５の取り付けを示す。ピン５は、ピン穴１６を通して挿入され、ピン５とブリッジ６の配置は、ピン５とブリッジ６がブラケット２内に完全に配置され、ピンが取り付け面と係合するまで、押されるか、打ち抜かれるか、又は他のやり方で前方に付勢される。図４Ｃは、所定の位置にあるピン配置を示す。
【００８２】
図４Ｂから最もよく分かるように、当接部１４が設けられている。当接部１４が両ピン５の領域に設けられているが、両ピン５の間の領域には設けられていないことが示されている。上述したように、当接部１４はピン５を支持する。さらに、当接部１４は、それに対応して寸法が決められ、かつブリッジ６に適合するように構成されているので、ブリッジ６を所定の位置に配置することが可能である。当接部は、ブリッジに対応する形状に成形されてもよく、又は他のやり方で形成されてもよい。当接部は、ブリッジ６を確実に保持するように配置され、装置１によってより大きな重量を支持することができ、装置全体に対してより大きな安定性をもたらす。
【００８３】
２つのピン５の間の領域に当接部１４がないので、ピンを容易に取り外すことが可能である。ブリッジ６と当接部１４との間のギャップは、ユーザがドライバやペン等の先の尖った物を挿入して、ブリッジ６上で容易に引き上げることができ、それによってピン５を取り付け面から引き戻すことができることを意味する。
【００８４】
カバー３がブラケット２にどのように取り付けられているかをよりよく理解するために、ブラケットの後面を示す図２に一時的に戻る。ここでは、カバー３がその側壁の内面に内部溝１９をどのように有しているかを見ることができる。図２の角度により、このような溝１９は１つしか見えないが、実際には、溝１９はカバーの各側壁上で繰り返される。
【００８５】
ブラケット２の各側縁部にはレール２３が設けられている。レール２３は、ブラケット２の後面よりも横方向に延びる領域であり、それによってカバー３の各側壁溝１９内に嵌合するような大きさ及び形状の突起を形成している。レール２３及び対応する溝１９のシステムが示されているが、実際には、カバーをブラケット上でスライドさせることを可能にする協働部品の任意のシステムが使用され得る。使用時には、カバー３は、レール２３が溝１９と協働する状態で、ブラケット２上を下方にスライドする。カバー３の上端がブラケット２の上端に当接することにより、スライド動作が停止するまでカバー３がスライドする。
【００８６】
カバー３は、図５に最良に示されるように、特に図５Ｄに示されるように、ブラケット２の所定の位置にクリップ留めされている。ここでは、カバー３の側壁に切り欠き２０が設けられている様子が示されており、この切り欠きは、カバー側壁の最下端部が変形又は撓むことを可能にするので、以下では変形ギャップと呼ばれる。カバーの最下端部にもカバー当接部２１が設けられていることが分かる。したがって、理解されるように、カバー３をブラケット２上にスライドさせると、カバー当接部２１は、カバーを下方にスライドさせるために外側に撓む。この撓みは、変形ギャップ２０の存在によって可能になる。ブラケット２がノッチ２２を有する様子も示されている。使用時には、カバーを下方にスライドさせ、カバー当接部２１がノッチ２２を通過すると、変形ギャップが再び開き、カバー当接部２１がノッチ２２の背後で所定の位置にバネ止めされて、カバー３がスナップ嵌め配置（ねじりスナップ嵌め）でブラケット２に固定される。これにより、カバー３をブラケット２に確実かつ安全に固定することができる。ただし、他のタイプの嵌合として、嵌め合い部品（ブラケットとカバー）間の締まり嵌め等が想定される。
【００８７】
カバー３をブラケット２から解放するために、本発明は、選択的に解除キー１０も提供する。解除キー１０の動作モードが図５〜５Ｃに示されている。解除キー１０はカバー当接部２１間で上方に押され、それによって当接部２１を再偏向させ、変形ギャップ２０を閉じる。これにより、上述したねじりスナップ嵌めが逆転し、カバー３がレール２３に沿って上方にスライドしてブラケット２から外れることが可能になる。
【００８８】
しかしながら、キー１０は本発明に必須ではなく、好ましい特徴として提供され得るが、必須ではないことを理解されたい。キー１０が提供されていない場合、ユーザは、代わりに、当接部２１を外側に手動で付勢することによって、カバー３とブラケット２との間のスナップ嵌めを解除することができ、それによって、変形ギャップ２０を閉じ、追加のツールを使用することなく、カバー３を上方にスライドさせることができる。
【００８９】
図１及び２に示すアルコール水準器の構成に関しては、図６Ａ及び６Ｂにさらに詳細に説明している。図１、２及び６から分かるように、本発明の一部として、アルコール水準器クリップ１２が選択的に設けられ、これは、図６Ａに示されるように、アルコール水準器クリップ溝１３を介してブラケット２に一時的に取り付けられてもよい。溝１３は、ブラケット２の下端に取り付けられてもよい。例えば、円筒形又は他のアルコール水準器バイアル１１を、例えば押し嵌めによりアルコール水準器クリップ１２に挿入することができ、これにより、クリップ１２は、バイアル１１の挿入に適した寸法の領域を有する。アルコール水準器クリップホルダ１５は、ユーザが容易にアセンブリを操作し、クリップ１２をブラケット２に導入することを可能にする。
【００９０】
図６Ａに示されるように、組立時に、アルコール水準器アセンブリは、ユーザがブラケット２を取り付け面上で水平に位置決めすることを可能にする。次に、上述したように、ピン５及びブリッジ６を導入し得る。ピン５が導入されると、アルコール水準器アセンブリをブラケット２から取り外すことができる。
【００９１】
図６Ａに示す突出したクリップハンドル１５は、ユーザが最初にアルコール水準器を取り外さずにカバー３を閉じることを防止する。アルコール水準器の配置は装置の下部をブロックするので、バイアル１１がまだ所定の位置にある場合、カバー３は完全にはスライドして落ちない。
【００９２】
当然のことながら、アルコール水準器バイアル１１及びアルコール水準器クリップ１２を含むアルコール水準器構成要素は、例えばアルコール水準器構成要素と共に本発明の装置を含むキットにおいて、ユーザに別々に提供され得ることを理解されたい。
【００９３】
また、アルコール水準器バイアル１１はブラケット２と一体であってもよいことを理解されたい。図１９は、本発明の有利な構成を示しており、ここで、アルコール水準器バイアル１１はブラケット２の前面に組み込まれており、取り外しできない。これは、より少ない分離部品を顧客に提供するという利点を有し、また、例えば、顧客が装置を移動又は再取り付けしたい場合に、アルコール水準器バイアル１１が常に装置内に存在することを意味する。
【００９４】
アルコール水準器バイアルは、装置全体のサイズ及び利用可能なスペースに応じて、４〜８ｍｍ又は６ｍｍの直径、１０〜１９ｍｍ又は１４ｍｍの長さを有してもよい。一般に、バイアル１１が大きいほど測定がより正確であるので、空間内で可能な最大のアルコール水準バイアルを使用することが好ましい。
【００９５】
図７は、デザイナフック１０５を本発明１のアセンブリ上に含む一方法を示す。フック１０５自体は、上述した装置１に取り付けられている。これは、（上述のフック８と同様に）フック１０５を必ずしもカバー３にねじ留めする必要がないことを示すためである。むしろ、この場合、フック１０５は、装置１に設けられた対応するノッチにより、装置１上に単に下方にスライドされる。
【００９６】
実際、装置１は単なるフックに限定されない。むしろ、装置１は、例えば、（ねじ込み８又はねじ込みなし１０５のいずれかの）フック、ＬＥＤ光配置、時計及び磁気パッド等の種々のアクセサリのための汎用ドックであると考えられる。例えば、カバー３自体は、鍵又はナイフ等の鉄の物品の取り付けを可能にする磁性材料であってもよい。代替的に、カバー３は、その上に組み込まれるか又は取り付けられる磁気パッドを有するプラスチック又は他の材料であってもよい。
【００９７】
正方形アセンブリを例として説明したが、本発明は正方形アセンブリに限定されないことを理解されたい。上述したように、カバー３をブラケット２に下方にスライド可能に取り付けるために、装置１の側縁部は平行であることが好ましいが、装置１は、それにもかかわらず、伸長されてもよく、例えば、長方形であってもよいことを理解されたい。これは、水平方向に３つ以上のピン５、例えば、より長いブリッジ６内の３つのピン５の使用を可能にする。
【００９８】
さらに、本発明の装置１を組み合わせて使用することもできる。純粋に一例として、本発明の２つの装置１は、取り付け面上に水平に離間して取り付けられ、その面から突出してタオルレールを支持する支持体を提供し得る。代替的に、装置１は、個々に使用することができ、例えば、図１に示されるようなコートフック（フック８）と組み合わせて、任意の所望のパターンで表面に取り付けることができる。
【００９９】
図３４Ａ及び３４Ｂは、本発明によって使用されるカバー１５０を示す。カバー１５０は、図示されるように、２つのブラケット２に取り付けられてもよい。２つ以上のブラケットに取り付け可能なカバー１５０も想定される。カバー１５０を取り付けるために使用されるブラケット２が多いほど、カバーはより大きな重量を支持することができることが理解されよう。このような複数のブラケット２に取り付け可能なカバー１５０を用いて、トイレットペーパーホルダ等の物体を取り付け面に装着し得ることが想定される。複数のブラケット２を使用することは、繰り返し不均一な荷重を受けるトイレットペーパーホルダ等の物体を取り付ける場合に有利であることが理解され得る。トイレットペーパーホルダの場合、ユーザがトイレットペーパーを引っ張ることによって不均一な荷重が生じる。複数のブラケット２を使用することにより、不均一な荷重の結果として取り付け面から物体が外れる可能性を低減する。
【０１００】
図３５Ａ及び３５Ｂは、本発明で使用される棚３００を示す。見て分かるように、棚３００は、１つ以上のカバー３と一体であってもよい。対応する数のブラケット２を使用して、棚３００を取り付け面に取り付けてもよい。棚３００を取り付け面に取り付けるために使用されるブラケット２の数が多いほど、棚が支持することができる重量が大きくなることが理解され得る。
【０１０１】
図３６Ａ及び３６Ｂは、本発明で使用されるピクチャフレーム３２０を示す。見て分かるように、ピクチャフレーム３２０はカバー３と一体であってもよい。代替的な構成では、ピクチャフレーム３２０は、複数のカバー３と一体であってもよい。ピクチャフレーム３２０に含まれるカバー３の数に対応する数のブラケット２を使用して、ピクチャフレームを取り付け面に取り付けてもよい。ピクチャフレームが１つ以上のブラケット３に取り付けられると、ピクチャフレームは取り付け面に対して平坦になることが理解される。また、ピクチャフレーム３２０は、１つ以上のブラケット２によって所望の方向に固定的に保持されることが理解されよう。これは、標準的なピクチャフックを用いてピクチャフレームを取り付け面に取り付けるよりも有利である。標準的なピクチャフックによって取り付けられた場合、ピクチャフレームは、取り付け面に対して平坦に置かれず、所望の向きに固定的に保持されない。ピクチャフレームが取り付け面に対して平坦に載置されていない結果として、ユーザはより容易にピクチャフレームに突き当たる。ピクチャフレームに突き当たると、ピクチャフレームの方向が変更される可能性がある。これが発生するたびに、ユーザはピクチャフレームの向きを再調整する必要がある。
【０１０２】
図示されているように、カバー１５０、棚３００、及びピクチャフレーム３２０は、１つ以上のブラケット２にスライド可能に取り付け可能であってもよい。
【０１０３】
棚３００及びフレーム３２０の代替的な配置も想定される。例えば、棚３００又はフレーム３２０は、１つ以上のカバーに一体ではなく、１つ以上のカバー３に取り付け可能であってもよい。フレーム３００又は棚３００は、磁性材料で作られてもよく、又は磁性材料を含んでもよい。磁気パッドを含む１つ以上のカバー３を使用して、棚３００又はフレーム３２０を取り付け面に取り付けてもよい。
【０１０４】
図３３Ａ及び３３Ｂは、本発明で使用されるテンプレートインストーラ２００を示す。複数のブラケット２をテンプレートインストーラ２００と共に販売してもよい。テンプレートインストーラ２００は、発泡体、ボード、カード又は他の任意の適切な材料で作ることができる。テンプレートインストーラ２００は、ブラケット２を受け入れるように構成された複数の開口部２０２を含んでもよい。複数の開口部２０２は、テンプレートインストーラ２００内に、対応する複数のブラケット２の所望の取り付け構成に対応するように配置されてもよい。例えば、図３３Ａに示されるように、複数の開口部２０２は、取り付け面に固定されたときに、ブラケット２間の所望の距離に対応する開口間の距離に直線的に配置されてもよい。図３３Ｂから分かるように、２つ以上の開口部２０２の様々な配置が可能である。
【０１０５】
テンプレートインストーラ２００は、特定の配置で複数のブラケット２が物体を取り付け面に取り付ける必要がある場合に（例えば、棚３００を取り付けるとき、又はカバー１５０を使用するとき）、複数のブラケット２を取り付け面にユーザが正しく固定するのを支援することが理解されよう。２つ以上のブラケット２は、テンプレートインストーラ２００において正しい取り付け構成で既に中に入れられて提供されてもよい。ユーザは、テンプレートインストーラ２００を取り付け面に配置して、テンプレートインストーラ内に設けられた複数のブラケット２のそれぞれを、接着パッド４を用いて取り付け面に固定してもよい。次に、テンプレートインストーラ２００を取り付け面に垂直な方向に引っ張ることにより、テンプレートインストーラ２００を複数のブラケット２から取り外してもよい。複数のブラケット２は、テンプレートインストーラ２００が取り外された後も、取り付け面に固定されたままである。これにより、２つ以上のブラケット２は、ユーザが各ブラケットを別々に固定し、又は各ブラケットを固定する前にブラケット間の距離及び角度を正確に測定する必要なく、所望の取り付け構成で固定される。
【０１０６】
次に接着パッド４に戻って、ブラケット２を取り付け面に取り付けるための接着パッド４は、ブラケット２を時計回り及び反時計回りに交互に回転させることにより、取り付け面から取り外されてもよい。本発明者らは、接着パッド４を塗装面から取り外そうとする際に、ブラケット２を時計回り方向と反時計回り方向に交互に回転させることにより、接着パッド４を、表面からの塗装の剥離等、取り付け面に実質的な損傷を与えることなく取り外せることを見出した。さらに、ブラケット２を回転させる前に、例えばヘアドライヤを用いて接着パッド４に熱を加えることにより、塗装面が損傷する可能性をさらに低減することができる。
【０１０７】
次に、接着パッド４のさらに有利な特徴について説明する。解放タグを有する本発明に関連して使用するのに適した接着パッドを提供することが、当技術分野で知られている。例えば、３Ｍ社が販売している「Ｃｏｍｍａｎｄ」ブランドや、ｔｅｓａ社の「Ｐｏｗｅｒｓｔｒｉｐｓ」等がある。一例を図８に示す。この例では、接着パッド４は、解放タグ２４も含む。ユーザがパッド４を含む装置１を表面から取り外そうとする場合、ユーザは解放タグ２４を（図示されるように）上方に引っ張り、それによって接着パッドを引き伸ばして表面との接着性を失わせる。これにより、接着パッド４を損傷することなく壁からきれいに取り外すことができる。解放タグ２４は、接着パッド４とは別の材料であってもよく、又は単に接着パッド４の延長部であってもよく、選択的に、ユーザによって除去されない残りの剥離ライナで覆われていてもよい。
【０１０８】
当技術分野で知られているように、そのような解放タグ２４の１つの欠点は、使用中に見えることがあり、見苦しい場合があることである。例えば、解放タグ２４を後でユーザが操作するためには、アクセス可能かつ視認可能である必要があるため、取り付けられているピクチャから突出することがあり、見苦しくなる。本発明では、解放タグ２４がカバー３によって使用中に隠されるので、この問題が解決する。図８Ｂに示されるように、接着パッド４が最初にブラケット２に取り付けられるときは、解放タグ２４が見えている。しかしながら、図８Ｃに示されるように、カバー３をブラケット２上にスライドさせた後は、解放タグ２４はがブラケット２の上部で折り曲げられ、それによりカバー３の上面に隠れるようになり、ブラケットの上端とカバーの上面との間に挟まれる。したがって、解放タグ２４は、使用中には見えない。
【０１０９】
図９は、多くの点で図１のものと同一である本発明による装置１を示しており、したがって対応する参照番号が使用される。図９の構成は、上述した解放タグ２４を有する接着パッド４を示す。図９の構成では、ピン穴１６及び当接部１４は、ブラケット２の垂直上方に設けられている。実際、ピン穴１６は、ブラケット内の任意の場所に設けられ得る。図９〜１５に示される構成は、図１〜８に示されないいくつかの追加の特徴を含む。しかしながら、図示された装置の全てが本発明の範囲内にあり、いずれかの図面に示された特徴のいずれかが１つの同一の装置に結合され得ることを理解されたい。
【０１１０】
図９に示されたこのような追加の特徴の１つは、ブラケット２の上面に設けられるスロット２５である。スロット２５は、図１２に示されるように、接着パッド４の解放タグ２４をブラケット２の上部からブラケットの前面に向かってループさせ、カバー３によって隠れるようにする。言い換えれば、スロット２５は、解放タグ２４の厚みのための空間を提供する。
【０１１１】
また、図９〜１１Ｂから分かるように、ブラケット２は、ブラケットの前面に切り欠き部２６をさらに含む。これは、アルコール水準器クリップ１２の取り付けを補助するためである。ここで、（図９に示される）アルコール水準器クリップ１２  は、少なくとも１つの突起部２７及び壁２８を含む。理解されるように、突起部２７は切り欠き部２６内を通って、クリップ１２が所定の位置にクリップ留めされることを可能にする。突起部２７は、切り欠き２６内を通過するときに変形し、クリップ１２をスナップ又は締まり嵌めのよう所定の位置に保持するための正の力を提供するように弾性的であってもよい。さらに、突起部２７は、突起の弾性の性質のため、クリップを所定の位置に維持するように切り欠き部２６上で撓むボタン２９を有するように図示されている。前壁２８は、ブラケット２の前面におけるクリップの位置を維持する。ここで、壁２８は、後述する他の構成要素のための空間を形成するために、中央開口を有するように描かれている。図１３は、アルコール水準器クリップ１２が所定の位置にある本発明の構成を示しており、この場合、突起部２７は、前述のように切り欠き２６を通過している。
【０１１２】
図９〜１５に示す構成では、カバー３とブラケット２とを嵌め合わせるやり方が若干異なる。図１０から分かるように、カバー３は、カバー３の前面の内壁に刻み目である凹部３０を有している。
【０１１３】
ブラケット２上の対応する空間位置において、ブラケット２に直立リップ３１を設ける（図１１Ａを参照）。前述のようにカバー３をブラケット２上に滑り込ませると、リップ３１がカバー凹所３０内に付勢され、それによってカバー３がブラケット２上の所定の位置にスナップ嵌め配置で固定されることを理解されたい。また、図１１Ａ及び１１Ｂから分かるように、リップ３１及びブラケット２の底縁の両方に凹部３２が設けられ、リップ３１が２つの部分に分割されている。凹部の機能は、図１４に示されるように、カバー３をブラケット２から解放することである。
【０１１４】
図１４は、鉛筆又は他の先の尖った物体等の物品が凹部３２内に押し込まれる様子を示す。物体３３が凹部３２内に押し込まれると、それは凹部３２に隣接するカバー凹所３０の部分と接触する。このため、鉛筆又は他の物体３３に圧力を加えることにより、カバー凹部３０がリップ３１から離れる方向に押され、それによってカバー３がブラケット２から解放される。このようにして、特別なツール又はキーを必要とすることなく、カバーがブラケットから解放される。ユーザは、鉛筆、ドライバ、ペン等の先の尖った任意の物品を簡単に使用することができる。
【０１１５】
キットがユーザに提供されてもよく、このキットは本明細書で説明する構成要素の一部又は全部を含むことを理解されたい。例えば、キットは、ベース２、カバー３、ピン５及びブリッジ６を含み得ることを理解されたい。ネジ７は別個に購入することができ、本発明に必須ではないので、ネジ７はキット内では選択的である。キットは、アルコール水準器１１をそのクリップ１２と共に備えてもよく又は備えなくてもよい。必要に応じて、キットは、カバー３をブラケット２から解放するための解除キー１０を含むことができる。キットは、例えば、取り付けネジ９と共にフック８を含むこともできる。代替的に、各取り付けネジ９と共に異なるアタッチメントを設けてもよい。好ましくは、ユーザは、本発明に必須の要素を含むキットを、ユーザの好みに応じてカバー３に取り付けることができる多数の異なるアタッチメントと共に購入することができる。
【０１１６】
図１６及び１７は、本発明に関連して使用されるアタッチメントの例を示す。図１６は、ギャラリーキット３４を示しており、このギャラリーキットは、ギャラリーキットハウジング３５を備えている。ギャラリーキットハウジング３５は、本発明によるカバー３に取り付けられる物体であり得ることを理解されたい。代替的に、ギャラリーキットハウジング３５は、本発明のカバー３と一体であってもよい。言い換えれば、ギャラリーキットハウジング３５の後面（図示せず）は、本発明によるブラケット２に接続するためのカバー３の前述の特徴の全てを備えていてもよい。
【０１１７】
ギャラリーキット３４は、例えば、ギャラリーの壁に絵画を設置するときに、取り付けられた物体（例えば、絵画）をユーザが互いに一直線に保つのを支援することを意図している。ギャラリーキット３４は、レーザビーム３６をギャラリーキットハウジング３５から水平及び／又は垂直に投射する手段を含む。このレーザ光の動作は、オンオフスイッチ３７により制御される。使用時には、ユーザは、好ましくは本明細書に前述したようなアルコール水準器構成を用いて、本発明によるブラケット２を真っ直ぐに設置する。次いで、ギャラリーキットハウジング３５はブラケット２に取り付けられ、レーザビーム３６は、水平及び／又は垂直に位置合わせして絵画を配置する際にユーザをガイドする。
【０１１８】
ギャラリーキット３４は、水平方向及び／又は垂直方向（図示されるように水平）にギャラリーキットハウジングから引き込まれ得る巻尺３８をさらに選択的に備える。これは、例えば絵画等の取り付けられた物体間の距離をユーザが正確に決定できるようにするためである。この巻尺３８は、当技術分野で既知の巻尺の一種であり、例えば、当技術分野で既知の方法、例えば、巻き取り機構及び／又はバネを用いて巻き取ることができる可撓性金属又は可撓性材料巻尺であり得る。
【０１１９】
ギャラリーキットハウジング３５は、レーザビーム３６に電力を供給するための１つ以上のバッテリを収容するように有利に構成されてもよい。
【０１２０】
特に有利な構成では、ギャラリーキットハウジング３５は、回転可能な前部１１０を備えてもよい。回転可能な前部１１０は、その開始位置から予め設定された角度、例えば４５、９０、１８０度等でユーザによって回転されてもよい。回転可能な前部１１０の回転は、レーザビーム３６の回転を引き起こし得る。レーザの回転により、ユーザは、ギャラリーキット３４と比較して、複数の物体を様々な角度で取り付けることができる。回転可能な前部１１０を含む例示的なギャラリーキット３４が、図３２Ａ及び３２Ｂに示されている。図３２Ａは、回転可能な上部１１０をその開始位置に取り付けたギャラリーキット３４を示す。図３２Ｂは、回転可能な上部１１０を４５度回転させた後のギャラリーキット３４を示す。
【０１２１】
図１７は、本発明と共に使用される一体型フック３９を示す。この例では、（例えば図１に示されるように）フック８をカバー３に取り付けるのではなく、前述のように、フック３９はカバー３と一体である。言い換えれば、一体型フック３９は、カバー３としても機能し、前述のカバー３の特徴の全てを含む。一体型フック３９は、吊り物に使用するための上方に湾曲した部分４０をさらに備える。
【０１２２】
図１７Ａに示されるように、一体型フック３９は、前述したように、本発明によるブラケット２と嵌合する（ブラケット２は、上記の図９〜１５に示されたものと同じブラケットであるが、ブラケット２は、図１〜８に示されたものと同じブラケットであり得ることを理解されたい）。
【０１２３】
図１７Ｂにおいて、ブラケット２は、前述のように、一体型フック３９のカバー３の溝１９と係合するように意図されたレール２３を含む。一体型フック３９とブラケット２とが互いに嵌合する部分は、前述したものと同様である。
【０１２４】
図１７Ｃに示されるように、係合位置において、一体型フック３９は、ブラケット２が一体型フック３９内に着座するようにブラケット２上を下方にスライドされている（溝１９とレール２３の組み合わせ）。一体型フック３９には、フック３９の底面にフック切り欠き４１も設けられていることが分かる。これは、前述のように、鉛筆３３等の物体を上向きに挿入して、嵌合されたブラケット２及び一体型フック３９を解放することを可能にするためである。
【０１２５】
図１８Ａ及び１８Ｂは、本発明で使用するための代替の一体型フック４３を示す。この例では、一体型フックは、湾曲した上面４７、上面４７の後縁から上方に延びる後壁４４、及び上面４７の前縁から上方に延びる前壁４５を有する。使用中、ピクチャワイヤ等４６は、後壁４４と前壁４５との間の上面４７に配置されてもよく、物体が装置１から吊り下げられることを可能にする。前壁４５及び後壁４４は、ピクチャワイヤ等４６が装置１から滑り落ちるのを防止する。２つの前壁及び１つの後壁を有する配置が示されているが、代替の配置、例えば、単一の前壁４５を有し、後壁を有さない一体型フック４５が想定される。
【０１２６】
図１８Ａ及び１８Ｂに示されるように、一体型フック４３は、前述のように、ブラケット２と嵌合するためのカバー３の全ての特徴を含む。湾曲した上面４７は、ピクチャワイヤ等を支持するための平坦面より好ましいことが理解できる。
【０１２７】
図２０Ａ〜２０Ｄは、本発明で使用するためのさらなる一体型フック５４を示す。この例では、カバー３は、フックがカバーの前面から突出しない第１の位置と、フックがカバーの前面から突出する第２の位置との間でスライド可能な一体型フック５４を含む。図２０Ｃは、フック５４が第２の位置にあるこの構成の装置の側面図を示し、図２０Ｄは、フック５４が第１の位置にあるこの構成の装置の側面図を示す。フック５４は、フックが使用されていないときに第２の位置から第１の位置へ手動でスライドされてもよい。図２０Ａ及び２０Ｂに示されるように、指凹部５８が、フック５４に隣接するカバー３の前面に提供されてもよく、その結果、ユーザは、第１の位置と第２の位置との間でフックを容易に把持及びスライドし得る。
【０１２８】
図２０Ａに示されるように、第２の位置にあるフック５４は、取り付けられる物体の一部を受け入れるための開口５６を提供する。図示される物体５０は、当技術分野で既知の絵画又はピクチャのための取り付け要素であり、一連の歯５２を含む。１つ以上の歯５２が、フック５４の開口５６と係合してもよい。物体５０の歯５２が係合し得る開口５６を設けることにより、物体はフック５４によってより確実に保持されることが理解され得る。したがって、本発明のこの態様は、歯付き取り付け要素５０で取り付けるために準備された（例えば）ピクチャ又は絵画の確実な取り付けを可能にする。
【０１２９】
図１８Ａ及び１８Ｂに示される構成（フック４３）と同様に、図２０Ａ〜２０Ｄの構成のカバー３は、湾曲した上面４７等のピクチャワイヤを取り付けるための手段を備えてもよい。これはフック５４と共に図２０Ａ〜２０Ｄに示されており、単一の装置でより多くの選択を消費者に提供するために好ましい場合があるが、両方を提供することは必須ではないことを理解されたい。
【０１３０】
これらは単なる例示的なアタッチメントであることを理解されたい。本発明の一態様は、図示されるカバー３に限定されず、多くの異なる種類のカバー３と嵌合可能なユニバーサルブラケット２を提供することである。既に述べたように、カバー３自体が、別の物体（フック８等）を取り付けるための手段を有してもよく、又はカバーは、物体と一体にしてもよく、例えば一体型フック３９とすることができる。
【０１３１】
図２１は、本発明の代替構成のブラケット２の後面を示す。ブラケット２の後面は、周方向溝６２を含んでもよい。好ましくは、溝６２は、後面の周囲に沿って延在してもよい。図２２に示されるように、溝６２は、シーリング要素６４でオーバーモールドされてもよい。シーリング要素６４は、シリコン等の任意の適切な材料であってもよい。この構成は浴室又はキッチン環境等で使用されることを意図しているので、シーリング要素６４は可撓性でかつ耐水性の材料のものであるべきことを理解されたい。
【０１３２】
図２２のブラケットは、接着パッド４によって取り付け面に取り付けられてもよい。図２３Ａ及び２３Ｂは、例えば浴室タイル又はキッチンタイルであり得る取り付け面と接触するシーリング要素６４を備える取り付け装置の断面図を示す。図２３Ａは、非圧縮位置にあるシーリング要素６４を示す。図２３Ｂは、圧縮位置にあるシーリング要素６４を示しており、接着パッド４は、取り付け面と接触している。
【０１３３】
シーリング要素６４は、タイル張りの壁等のキッチン及び浴室の取り付け面への取り付けを意図した取り付け装置において有利であることが理解され得る。シーリング要素６４は、水がブラケット２に入り、接着パッド４に接触し、それにより接着パッドと取り付け面との間の接着強度を低下させることを防ぐ。
【０１３４】
さらに、図２１に示されているように、ブラケット２は、ピクチャピン又はネジ開口を備えていなくてもよい。そのような開口の欠如は、水が接着パッド４に接触する可能性をさらに低減することが理解され得る。さらに、キッチン及び浴室で一般的に見られるようなタイル張りの表面への取り付けるためにネジ及びピンを設けることは、ネジ及びピンがタイルを永久的に損傷するので望ましくない。
【０１３５】
図２１及び２２に示されるように、溝６２及びシーリング要素６４は、好ましくは、ブラケット２の後面の全周にわたって延在してもよい。このような構成では、シーリング要素６４は、以下に説明されるように、真空シーリング効果、又は略真空の又は部分的真空のシーリング効果を提供してもよい。
【０１３６】
図２３Ａに示されるように、シーリング要素６４がブラケットの全周にわたって延在する配置では、シーリング要素６４を取り付け面に接触させた後で、シーリングされた（気密の）空洞６６がブラケットの後面と取り付け面とシーリング要素６４との間に形成される。次に、ユーザは、ブラケット２の前面に対して、取り付け面に垂直に圧力を加えてもよい。この圧力は、シーリング要素６４を外側に変形させ、又は圧縮されていない位置から圧縮された位置へと広がり、空洞６６から空気を排出させ、空洞６６内に真空又は略真空又は部分的真空を生成する。この圧力の印加はまた、図２３Ｂに見られるように、接着パッド４を取り付け面に接触させ、空気の排出により、空洞６６の接着パッド４に隣接する部分が完全に除去される。
【０１３７】
このような配置における空洞６６と雰囲気との間の圧力差は、接着パッド４の接着に加えて、取り付け面に取り付けられた取り付け装置を保持するのに役立つことが理解され得る。ブラケットと取り付け面との間の接続の強度を高めることは、タイルを永久的に損傷するネジ又は釘等の追加の取り付け手段をタイルに貫設することが望ましくない場合に、タイル張りの面に取り付けるのに有利である。
【０１３８】
図３０Ａ及び３０Ｂは、本発明のブラケット２に取り付け可能なフレーム９０を示す。図３０Ｂは、フレーム９０に取り付けられたブラケット２の背面図を示す。見て分かるように、フレーム９０は、ブラケット２を受け入れるように構成された開口を備えてもよい。
【０１３９】
図３０Ｂから分かるように、フレーム９０の上面は後部レール１００を含んでもよい。前面９８と後部レール１００との間に溝を形成してもよい。底面はまた、後部レール９９を備えてもよい。前面９８と後部レール９９との間に第２の溝を形成してもよい。
【０１４０】
図２４Ａ及び２４Ｂは、本発明で使用するバー７０を示す。バー７０は、１つ以上のブラケット２を用いて取り付け面に固定されてもよい。好ましい構成では、バー７０は、取り付け面に対して水平に取り付けられてもよい。しかしながら、バー７０が垂直に又は他の角度で取り付けられる構成もまた想定される。
【０１４１】
バー７０は、１つ以上のブラケット２に取り外し可能に取り付け可能であり、ブラケットを受け入れるように寸法決めされかつ構成された１つ以上の開口部７２を備えてもよい。図示の構成では、バー７０は、バー７０の各端部に近接して配置された２つの開口７２を含む。バーは、典型的にはバー７０の略中央に配置される１つの開口のみを含み得ることが想定される。バー７０が２つより多くの開口部７２を含む構成では、開口は、バー７０の長さに沿って等間隔になるように配置されてもよい。
【０１４２】
図２４Ａは、バー７０の正面図を示す。バー７０は、ブラケット２を使用して取り付け面に固定されてもよく、ブラケット２は、バーの開口部７２によって受け入れられる。図２４Ａにブラケット２を受け入れていないものとして示されている第２の開口部７２は、第２のブラケットを受け入れ得ることを理解されたい。したがって、バー７０は、複数のブラケット２によって取り付け面に固定されてもよい。多くの取り付け配置が可能であることが理解され得る。すなわち、バー７０は、複数の開口部７２を含み、複数のブラケット２によって取り付け面に固定される。また、バー７０が複数の開口部７２を含む構成では、バー７０が取り付け面に固定されるときに、複数の開口の全てがブラケット２を受け入れる必要はないことが理解される。
【０１４３】
バー７０は、任意の適切な長さであってよく、対応する数までのブラケット２を受け入れるための１つ以上の開口部７２を含む。明らかなように、取り付け面に所定の長さのバー７０を固定するために使用されるブラケットの数が多いほど、バー７０は取り付け面により確実に保持され、バーが支持できる重量が大きくなる。ユーザは、バー７０が支持することを意図されている重量に基づいて、バー７０を取り付け面に固定するために使用するブラケット２の数を決定してもよい。
【０１４４】
図２４Ａ及び３０Ａにおいて、ブラケット２は、４つのピン５を受け入れるための４つのピン開口を含むように示されている。前述したように、ブラケット２を固定するために使用されるピン５の数は、ブラケットによって支持され得る重量に影響を及ぼす。１つ、２つ又はそれ以上のピン開口を含む、バー又はフレームと共に使用するための代替のブラケット構成が可能である。ブラケット２に使用されるピン５が多いほど、バー７０又はフレーム９０は、より多くの重量を支持することができる。
【０１４５】
図２４Ｂは、バー７０の背面図を示す。バー７０の後面は、１つ以上のフィン７４を含んでもよい。１つ以上のフィン７４は、バーの長さに平行に延びてもよい。好ましい構成では、１つ以上のフィンは、バーの実質的に全長に沿って延在してもよい。取り付け面に固定されると、フィン７４は、１つ以上のブラケット２を収容するために、取り付け面からバー７０を離間させることが理解されよう。
【０１４６】
図２９に示されるように、ブラケット２は、バー７０を取り付けるために、本体とブラケットレール２３とを備えてもよい。図２４Ｂに示されるように、ブラケット２は、ブラケットの多数の本体が１つ以上のフィン７４内の破断部の間に位置し、ブラケットのレール２３が１つ以上のフィン７４上に載置されるように、開口部７２内に受容されてもよい。代替構成では、ブラケット２のレール２３は、バー７０の１つ以上のフィン７４に取り付け可能であってもよい。
【０１４７】
図２５Ａ及び２５Ｂは、バー７０又はフレーム９０と共に使用するためのレバー８０を示す。レバー８０は、レバーアーム８２とベース８４とを備える。図２５Ｂから分かるように、レバーアーム８２の底面は、１つ以上の突起８６を備えてもよい。突起は様々な形態をとり得る。例えば、突起は、図示されるように、点突起であってもよく、又は隆起であってもよい。図２５Ａ及び２５Ｂに示されるように、取り付け点からベース８４への最も遠いレバーアーム８２の端部は、ユーザによって容易に作動され得るような形状であってもよい。
【０１４８】
図２６Ａ及び２６Ｂに示されるように、バー７０は、上面及び底面を含んでもよく、バーが取り付け面に固定されている場合には、上面がバーの最上面であり、バーが取り付け面に固定されている場合には、下面がバーの最下面である。上面は、前部バーレール及び後部バーレールを含んでもよい。上面の前部及び後部バーレールは、それらの間に溝７７を画定してもよい。好ましい構成では、底面は、それらの間に溝７８を画定する前部及び後部バーレールも含んでもよい。さらに好ましい構成では、各溝はバーの全長に沿って延在してもよい。
【０１４９】
図２６Ａ、２６Ｂ及び３１は、レバー８０を使用してバー７０又はフレーム９０をどのようにして取り付け面に取り付けるかを示す。バーの溝７７は、ベース８４の底縁を受け入れてもよく、底縁は、レバーアーム８２への取り付け点から遠位の縁部である。ベース８４の底縁は、バー７７の溝７０によって受容されるように成形されかつ構成されてもよい。同様に、上面９８及び後部レール１００によって画定されるフレームの第１の溝は、ベース８４の底縁を受け入れてもよい。ベース８４の底縁は、フレームの前記第１の溝によって受容されるように成形されかつ構成されてもよい。
【０１５０】
好ましい構成では、ベース８４の底縁は、溝７７にスライド可能に取り付け可能であってもよい。バー７０を取り付けるとき、ユーザは、ベース８４を溝７７の一端にスライドさせてもよい。これにより、ユーザは、レバー８０を溝７７に沿って必要な位置までスライドさせることができる。別の好ましい配置では、ベースの底縁は、フレーム９０の溝にスライド可能に取り付け可能であってもよい。
【０１５１】
図２５Ａにより明確に分かるように、ベース８４の上面はリップ８５を備えてもよい。図２６Ａ及び３１に戻ると、ベース８４の底縁がバー７０の溝７７又はフレーム９０の溝によって受け入れられる場合、リップ８５は、それぞれバーの上面又はフレームの前面９８の前面レール上に載置されてもよい。リップ８５は、バー７０又はフレーム９０が取り付け面に取り付けられているときに、溝７７又はバーの溝内でベース８４を配向し、ベースを取り付け面に平行に維持することが理解され得る。さらに、リップ８５は、ベース８３が溝７７内に保持されることを確実にし、レバー８０が垂直方向に外れるのを防止する。
【０１５２】
レバー８０は、ブラケット２のピン５を取り付け面に押し込むために使用されてもよい。図２６Ａ及び２６Ｂから分かるように、レバー８０がバー７０に取り付けられ、レバーアーム８２がブラケット２の真正面に位置するとき、レバーアーム８２の底面の突起８６がピン５、したがってブラケット２のピン開口１６と整列する。同様に、レバー８０がフレーム９０に取り付けられると、レバーアーム８２の底面の突起８６は、ブラケット２のピン開口１６と整列する。
【０１５３】
ブラケット２を取り付けるために、ユーザは、ベース８４から最も離れたレバーアーム８２の端部に取り付け面の方向の力を加えてもよい。レバーアーム８２の長さは約２００ｍｍである。レバーアーム８２のベースから最も遠い端部に力が加わると、突起８６がピン５に接触して、ピクチャピンをブラケット２のピン開口から取り付け面に押し込む力が加わる。突起８６は、ユーザにより初期力が加えられるレバーアーム８０の端部よりもレバー８２の回動点に近い位置にある。したがって、ピン５に加わる力は、ユーザがレバーアーム８２に加える力よりも大きくなり、ピン５を取り付け面に容易に取り付けることが可能になる。レバー８０は、ピン５を取り付けるのに必要なユーザの労力を低減することが理解され得る。また、レバー８０は、複数のピン５を取り付け面に同時に挿入することを可能にし、ブラケット２の取り付けに要する時間と労力をさらに低減することができる。突起８６は表面積が小さいので有利である。表面積が小さいということは、ピン５にかかる圧力が高いことを意味する。
【０１５４】
突起８６は、レバー８０がバー７０又はフレーム９０に取り付けられたときに、ブラケット２のピン開口１６と整列するように、レバーアーム８２の底面に配置されるべきであることが理解され得る。図２５Ｂにおいて、レバー８０は、レバーアーム８６の長さに垂直な２つの隆起の形態の突起８２を含むように示されている。図２６Ａ及び２６Ｂでは、ブラケット２が長方形の角に位置する４つのピン開口１６を含む本発明の構成において、これら２つの隆起が４つのピン５と整列していることが分かる。前述のように、ブラケット２は、４つのピン開口を備える構成に限定されないことが理解され得る。ブラケット２は、１つ以上のピン開口１６を備えてもよい。さらに、１つ以上のピン開口１６の異なる配置が可能である。例えば、図２６Ａ及び２６Ｂにおける４つのピン開口１６は、ブラケット２内に直線的に配置され得る。したがって、レバー８０の多くの配置が想定され、それぞれが異なるブラケット２におけるピン開口１６の数及び配置に対応する突起８６の異なる配置を含むことが理解され得る。
【０１５５】
レバーアーム８２のサイズは、取り付け面に応じて変化し得ることも理解されよう。ピン５を取り付け面に押し込むためにより大きな力が必要とされるより硬い表面の場合には、より長いレバーアーム８２が有利であり得る。より長いレバーアーム８２を使用すると、ユーザは、レバー８０がより短いレバーアーム８２を含む構成と比較して、レバーアームに加えられる力と同じ量の力で、ピン５により大きな力を加えることができる。
【０１５６】
図２７Ａ及び２７Ｂに見られるように、カバー１４０は、バー７０に取り外し可能に取り付け可能であってもよい。図２７Ａ及び２７Ｂは、単一のカバー１４０がバー７０に取り付けられていることを示す。代替的な構成では、複数のカバー１４０がバー７０に取り付けられてもよい。ユーザは、バー７０によって支持される所望の物体に応じて、どのようにカバーを取り付けるかを選択してもよい。
【０１５７】
図２８は、バー１４０又はフレームに取り付けるためのカバー７０の背面図を示す。カバー１４０は、上面及び底面を備えてもよい。カバー１４０の上面はフランジ９３を備えてもよく、カバー１４０の底面はフランジ９２を備えてもよい。図２７Ａに示されるように、カバー１４０のフランジ９３は、バー７０の溝７７によって受け入れられるような寸法及び構成としてもよい。ユーザは、フランジ９３を溝７７に挿入することにより、カバー１４０をバー７０に引っ掛けてもよい。次に、カバー１４０のフランジ９２をバー７０の溝７８に挿入してもよい。バー７０が上部溝７７及び下部溝７８を備える構成は、フランジ９３及び９２を備えるカバー１４０の取り付けに有利であることが理解され得る。
【０１５８】
図２７Ａ、２７Ｂ及び２８に示されるように、カバー１４０の底部は、１つ以上のスリット９５を備えてもよい。スリット９５は、カバー３の底部が曲がることを可能にし得る。カバーの底部の柔軟性の増加により、フランジ９３が溝７７によって受け取られると、ユーザは、フランジ９２を溝７８により容易に挿入することが可能になる。
【０１５９】
物体を取り付けるための少なくとも１つの手段を含むか、又は物体を一体的に取り付けられているカバー１４０は、フレーム９０に取り付けられてもよい。カバー１４０は、フレーム９０の溝によって受容されるような寸法及び構成にされた上部及び下部フランジ９３及び９２を備えてもよい。
【０１６０】
カバー１４０は、スナップ嵌め、締まり嵌め又は摩擦嵌めによって、バー７０又はフレーム９０に取り付けられかつ所定の位置に保持されてもよい。カバー１４０がスナップ嵌めによりバー７０又はフレーム９０に保持される構成では、バーからカバーを取り外すために解除キーが設けられ得ることが想定される。
【０１６１】
図２４Ａ及び２４Ｂにおいて、バー７０は、１つ以上のスロット７３を備え得ることが分かる。カバー１４０がない場合、１つ以上のスロット７３は、物体を取り付ける手段として機能してもよい。図２７Ａでは、カバー１４０が、１つ以上のスロット７３の位置でバー７０に取り付けられてもよいことが分かる。図２８において、カバー１４０の後面は、カバーがバー７０に接続されているときに、１つ以上のスロット７３に挿入するための１つ以上のタブ９４を備えてもよいことが分かる。したがって、１つ以上のスロット７３は、カバー１４０の取り付け手段としてさらに機能してもよい。
【０１６２】
図２４Ａ及び２４Ｂでは、バー７０は、２つのスロット７３を含むものとして示されている。理解できるように、バー７０は、図２８に示されるように、カバー１４０を取り付けるための単一のスロット７３を備えてもよい。また理解できるように、バー７０は、バー７０の長さに沿って離間されたスロット７３を備えてもよい。離間したスロット７３は、多数の物体のための取り付け手段として、又は多数のカバー１４０のための取り付け手段として、又は両方の組み合わせとして機能してもよい。
【０１６３】
図２７Ａ及び２７Ｂでは、カバー１４０は、ブラケット２から離れたバー７０に取り付けられているように示されている。カバー１４０はまた、バー７０のブラケット２及び／又は開口部７２の位置に取り付けられてもよい。１つ以上のタブ９４は、カバー１４０をブラケット２の上に位置決めするのを補助するために、ブラケット内に嵌合してもよい。これは、バー７０が取り付け面に取り付けられたときに、ブラケット２及び開口７２を隠すという審美的な利点を有する。複数のカバー１４０がバー７０に取り付けられ、１つ以上の前記カバーが１つ以上のブラケット２及び／又は開口部７２を隠し、残りのカバー１４０がバー７０上の別の場所に取り付けられる構成も想定される。
【０１６４】
さらに、バー７０を取り付けた後に見えるブラケット２及び／又は開口部７２は、代替手段によって隠されてもよいことを理解されたい。例えば、取り付け手段を備えていない１つ以上のカバーをバー７０に取り付けて、バー７０を取り付けた後にブラケット及び開口を見えないようにしてもよい。
【０１６５】
図２７Ａ、２７Ｂ及び２８において、カバー１４０は、物体を取り付けるためのネジ穴１８を備えるように示されている。これは、本発明の可能な構成の１つに過ぎない。前述のように、代替の取り付け手段を備えるカバーも、バー７０と共に使用してもよい。
【０１６６】
取り付け面に取り付けられると、バー７０は、自転車ラック、カーテン、タオルレール及びツールラック等の物体を取り付けるために使用されてもよい。このような物体を取り付けるために、様々なタイプのカバー１４０をバー７０と組み合わせて使用してもよい。物体は、１つ以上のカバー１４０に直接取り付け可能であってもよい。
【０１６７】
本明細書及び特許請求の範囲において使用される場合、「含む」及び「含み」という用語及びその変形は、特定の特徴、工程又は整数が含まれることを意味する。これらの用語は、他の特徴、ステップ又は構成要素の存在を除外するように解釈されてはならない。
【０１６８】
前述の説明、又は以下の特許請求の範囲、又は添付の図面に開示された特徴は、開示された機能を実行するための特定の形態又は手段、又は開示された結果を達成するための方法又は工程の観点で表現され、適宜、別個に又は任意の組み合わせで、発明を多様な形態で実現するために利用されてもよい。
【図１】
2021510576.tif 000003
【図２】
2021510576.tif 000004
【図３Ａ】
2021510576.tif 000005
【図３Ｂ】
2021510576.tif 000006
【図３Ｃ】
2021510576.tif 000007
【図４Ａ】
2021510576.tif 000008
【図４Ｂ】
2021510576.tif 000009
【図４Ｃ】
2021510576.tif 000010
【図５Ａ】
2021510576.tif 000011
【図５Ｂ】
2021510576.tif 000012
【図５Ｃ】
2021510576.tif 000013
【図５Ｄ】
2021510576.tif 000014
【図６Ａ】
2021510576.tif 000015
【図６Ｂ】
2021510576.tif 000016
【図７】
2021510576.tif 000017
【図８Ａ】
2021510576.tif 000018
【図８Ｂ】
2021510576.tif 000019
【図８Ｃ】
2021510576.tif 000020
【図９】
2021510576.tif 000021
【図１０】
2021510576.tif 000022
【図１１Ａ】
2021510576.tif 000023
【図１１Ｂ】
2021510576.tif 000024
【図１２】
2021510576.tif 000025
【図１３】
2021510576.tif 000026
【図１４】
2021510576.tif 000027
【図１５】
2021510576.tif 000028
【図１６】
2021510576.tif 000029
【図１７Ａ】
2021510576.tif 000030
【図１７Ｂ】
2021510576.tif 000031
【図１７Ｃ】
2021510576.tif 000032
【図１８Ａ】
2021510576.tif 000033
【図１８Ｂ】
2021510576.tif 000034
【図１９】
2021510576.tif 000035
【図２０Ａ】
2021510576.tif 000036
【図２０Ｂ】
2021510576.tif 000037
【図２０Ｃ】
2021510576.tif 000038
【図２０Ｄ】
2021510576.tif 000039
【図２１】
2021510576.tif 000040
【図２２】
2021510576.tif 000041
【図２３Ａ】
2021510576.tif 000042
【図２３Ｂ】
2021510576.tif 000043
【図２４Ａ】
2021510576.tif 000044
【図２４Ｂ】
2021510576.tif 000045
【図２５Ａ】
2021510576.tif 000046
【図２５Ｂ】
2021510576.tif 000047
【図２６Ａ】
2021510576.tif 000048
【図２６Ｂ】
2021510576.tif 000049
【図２７Ａ】
2021510576.tif 000050
【図２７Ｂ】
2021510576.tif 000051
【図２８】
2021510576.tif 000052
【図２９】
2021510576.tif 000053
【図３０Ａ】
2021510576.tif 000054
【図３０Ｂ】
2021510576.tif 000055
【図３１】
2021510576.tif 000056
【図３２Ａ】
2021510576.tif 000057
【図３２Ｂ】
2021510576.tif 000058
【図３３Ａ】
2021510576.tif 000059
【図３３Ｂ】
2021510576.tif 000060
【図３４Ａ】
2021510576.tif 000061
【図３４Ｂ】
2021510576.tif 000062
【図３５Ａ】
2021510576.tif 000063
【図３５Ｂ】
2021510576.tif 000064
【図３６Ａ】
2021510576.tif 000065
【図３６Ｂ】
2021510576.tif 000066
【国際調査報告】
2021510576.tif 000067
2021510576.tif 000068
2021510576.tif 000069
2021510576.tif 000070